(57)【要約】【課題】内部の液体が移動して付加された荷重を分散することができ、長時間の着座又は横臥等を容易に行わせることができるとともに、クッション全体の重量を小さくすることができる液体と気体・軟質部材との混在クッションを提供する。【解決手段】可撓性部材から成るクッション本体１と、クッション本体１内に形成され、液体を流動可能に封入し得る収容空間２ａと、収容空間２ａを所定位置に応じた大きさの領域で区分けする堰部３〜７と、堰部３〜７で区分けされた領域間で、液体を流入又は流出させるオリフィス部ａ〜ｊとを備えた液体と気体・軟質部材との混在クッションであって、クッション本体１の所定の領域を、液体内蔵領域２ａと、その他の領域２ｂに分け、その他の領域２ｂに液体よりも比重が低い軟質部材及び／又は空気等の気体を収容させて成るものである。【選択図】図１
2011152191.tif 000002
【特許請求の範囲】
【請求項１】
可撓性部材から成るクッション本体と、
該クッション本体内に形成され、液体を流動可能に封入し得る収容空間と、
該収容空間を所定位置に応じた大きさの領域で区分けする堰部と、
該堰部で区分けされた領域間で、前記液体を流入又は流出させるオリフィス部と、
を備えた液体と気体・軟質部材との混在クッションであって、
前記クッション本体の所定の領域を、液体内蔵領域と、その他の領域に分け、その他の領域に液体よりも比重が低い軟質部材及び／又は空気等の気体を収容させて成ることを特徴とする液体と気体・軟質部材との混在クッション。
【請求項２】
前記軟質部材及び／又は気体は、前記クッション本体の周縁に位置する領域に収容させて成ることを特徴とする請求項１記載の液体と気体・軟質部材との混在クッション。
【請求項３】
前記軟質部材は、羽毛、羊毛、真綿、綿などの天然繊維、合成繊維、或いは前記天然繊維と合成繊維との混合物、植物繊維の積層体、又は不織布から成ることを特徴とする請求項１又は請求項２記載の液体と気体・軟質部材との混在クッション。
【請求項４】
前記軟質部材は、発泡ゴム又は発泡ウレタンから成ることを特徴とする請求項１又は請求項２記載の液体と気体・軟質部材との混在クッション。
【請求項５】
前記クッション本体の上部及び／又は下部を可撓性部材で覆い、前記クッション本体と可撓性部材の間をある領域で区分けし、その領域内に前記軟質部材及び／又は気体を封入させて成ることを特徴とする請求項１〜４の何れか１つに記載の液体と気体・軟質部材との混在クッション。
【請求項６】
椅子の着座部若しくは背もたれ部、腰当て、肘当て、敷き布団、敷きマット、マットレス、枕、足置き又は履き物の内部の何れか任意に装着されることを特徴とする請求項１〜５の何れか１つに記載の液体と気体・軟質部材との混在クッション。
【発明の詳細な説明】
【技術分野】
【０００１】
本発明は、可撓性部材から成るクッション本体と、該クッション本体内に形成され、液体を流動可能に封入し得る収容空間と、該収容空間を所定位置に応じた大きさの領域で区分けする堰部と、該堰部で区分けされた領域間で、前記液体を流入又は流出させるオリフィス部とを備えた液体と気体・軟質部材との混在クッションに関するものである。
【背景技術】
【０００２】
従来、寝たきり患者などの床ずれを防止したり、快適な睡眠を実現するために、水などの液体を多量に充満させた液体袋を寝具全体に配置したウォーターベッドが開発されている。このウォーターベッドは、使用者の体圧を受けてベッド表面が大きく窪み、体圧を分散させることができるものである。また、特許文献１に示すように、液体袋が隔壁により複数の領域に仕切られ、領域間は、オリフィス孔で相互に連通された流体圧利用クッションがある。
【先行技術文献】
【特許文献】
【０００３】
【特許文献１】特開２０００−２３７９３号公報
【発明の概要】
【発明が解決しようとする課題】
【０００４】
従来のウォーターベッドや流体圧利用クッションでは、着座や横臥によって荷重が付加されると、内部の液体が移動して付加された荷重を分散することができ、長時間の着座又は横臥等を容易に行わせることができるものの、内部に多量の液体が充満されていることから、クッション全体の重量が極めて大きくなってしまうという問題があった。
【０００５】
本発明は、このような事情に鑑みてなされたもので、内部の液体が移動して付加された荷重を分散することができ、長時間の着座又は横臥等を容易に行わせることができるとともに、クッション全体の重量を小さくすることができる液体と気体・軟質部材との混在クッションを提供することにある。
【課題を解決するための手段】
【０００６】
請求項１記載の発明は、可撓性部材から成るクッション本体と、該クッション本体内に形成され、液体を流動可能に封入し得る収容空間と、該収容空間を所定位置に応じた大きさの領域で区分けする堰部と、該堰部で区分けされた領域間で、前記液体を流入又は流出させるオリフィス部とを備えた液体と気体・軟質部材との混在クッションであって、前記クッション本体の所定の領域を、液体内蔵領域と、その他の領域に分け、その他の領域に液体よりも比重が低い軟質部材及び／又は空気等の気体を収容させて成ることを特徴とする。
【０００７】
請求項２記載の発明は、請求項１記載の液体と気体・軟質部材との混在クッションにおいて、前記軟質部材及び／又は気体は、前記クッション本体の周縁に位置する領域に収容させて成ることを特徴とする。
【０００８】
請求項３記載の発明は、請求項１又は請求項２記載の液体と気体・軟質部材との混在クッションにおいて、前記軟質部材は、羽毛、羊毛、真綿、綿などの天然繊維、合成繊維、或いは前記天然繊維と合成繊維との混合物、植物繊維の積層体、又は不織布から成ることを特徴とする。
【０００９】
請求項４記載の発明は、請求項１又は請求項２記載の液体と気体・軟質部材との混在クッションにおいて、前記軟質部材は、発泡ゴム又は発泡ウレタンから成ることを特徴とする。
【００１０】
請求項５記載の発明は、請求項１〜４の何れか１つに記載の液体と気体・軟質部材との混在クッションにおいて、前記クッション本体の上部及び／又は下部を可撓性部材で覆い、前記クッション本体と可撓性部材の間をある領域で区分けし、その領域内に前記軟質部材及び／又は気体を封入させて成ることを特徴とする。
【００１１】
請求項６記載の発明は、請求項１〜５の何れか１つに記載の液体と気体・軟質部材との混在クッションにおいて、椅子の着座部若しくは背もたれ部、腰当て、肘当て、敷き布団、敷きマット、マットレス、枕、足置き又は履き物の内部の何れか任意に装着されることを特徴とする。
【発明の効果】
【００１２】
本発明によれば、クッション本体の所定の領域を、液体内蔵領域と、その他の領域に分け、その他の領域に液体よりも比重が低い軟質部材及び／又は空気等の気体を収容させて成るので、液体部では内部の液体が移動して付加された荷重を分散することができ、長時間の着座又は横臥等を容易に行わせ、且つ、姿勢変更に迅速に対応することができるとともに、軟質部材及び／又は気体部でクッション全体の重量を小さくすることができる。更に、種々の軟質部材を荷重条件に合わせて選択することにより、液体部以外に加わる荷重を好適に分散することができる。
【図面の簡単な説明】
【００１３】
【図１】本発明の第１の実施形態に係る液体と気体・軟質部材との混在クッションを示す平面図
【図２】図１におけるＩＩ−ＩＩ線断面図
【図３】本発明の第２の実施形態に係る液体と気体・軟質部材との混在クッションを示す平面図
【図４】本発明の第３の実施形態に係る液体と気体・軟質部材との混在クッションを示す平面図
【図５】本発明の第４の実施形態に係る液体と気体・軟質部材との混在クッションを示す断面図
【図６】本発明の第５の実施形態に係る液体と気体・軟質部材との混在クッションを示す側面図
【図７】本発明の第５の実施形態に係る液体と気体・軟質部材との混在クッションを示す平面図
【図８】本発明の実施例及び比較例の実験結果を示すグラフ
【発明を実施するための形態】
【００１４】
以下、本発明の実施形態について図面を参照しながら具体的に説明する。
第１の実施形態に係る液体と気体・軟質部材との混在クッションは、椅子等の座面に敷かれて、あるいは椅子等の座面内に挿入されて、人の臀部を弾力を持って支持するための着座用クッションに適用されたものであり、図１及び図２に示すように、上下２枚の柔軟な合成樹脂シートを熱溶着して内部に液体を収容可能な収容空間２ａを形成して成るクッション本体１と、クッション本体１内に形成され、液体を流動可能に封入し得る収容空間２ａと、該収容空間２ａを所定位置に応じた大きさの領域（領域Ａ〜領域Ｃ）で区分けする堰部３〜７と、該堰部３〜７で区分けされた領域（領域Ａ〜領域Ｃ）間で、液体を流入又は流出させるオリフィス部（ａ〜ｊ）とを備えたものであって、クッション本体１の所定の領域を、液体内蔵領域（収容空間２ａ）と、その他の領域２ｂに分け、その他の領域２ｂに液体よりも比重が低い軟質部材及び／又は空気等の気体を収容させて成るものとされている。
【００１５】
クッション本体１は、全体形状が椅子の座面に合致して載置され得るよう形成されており、図１においては、上部が着座する人の脚側（背もたれと反対側）となるよう椅子の座面の上部あるいは内部に設置される。尚、クッション本体１の材質は、弾力に富み、且つ所定の耐久性及び可撓性を有していて、液体が実質的に短時間で透過せず、液体を少なくとも３ヶ月以上封止することができる性能を有していればよく、例えば、エチレン−酢酸ビニル共重合体（ＥＶＡ）や、別の材料（種々プラスチックスや合成樹脂等）を用いることができる。しかして、クッション本体１においては、縁部の溶着部１ａにて密封されており、収容空間２ａ内で液体を流動可能に保持し、長期間封止され得るようになっている。
【００１６】
収容空間２ａ内に収容される液体は、粘度が常温で１〜５０００センチポイズ（ｃｐ）、特に１０〜２０００ｃｐの流動性の液体であればよく、例えば水或いは多価アルコールの水溶液（特に水とプロピレングリコール等を混合して得られた不凍性の混合液等）から成るものである。液体を水とすれば、より安価に着座用クッションを製造することができるとともに、収容空間に封入される液体を水と多価アルコールとの混合液とすれば、クッション本体内で液体が凍ってしまうことを回避することができ、また、長期間使用してもクッション本体を透過して外部へ発散してしまうのを抑制することができる。尚、収容空間２ａ内に収容される液体を水のみ（微量の添加物を含有するものを含む）或いは多価アルコールのみとしてもよい。さらに、道路凍結防止剤として用いられている塩化カルシウムを混合した水溶液であってもよい。尚、クッション本体１には、収容空間２ａに通じる注入口１ｂが形成されており、当該注入口１ｂから液体を注入した後、溶着されて封止されるようになっている。
【００１７】
堰部３〜８は、２枚の合成樹脂シート（厚さが１０〜１０００μｍ、特に５０〜８００μｍである合成樹脂シートが好ましい。）を熱溶着させ、収容空間２ａを臀部領域Ａと、太腿領域Ｃと、臀部領域Ａ及び太腿領域Ｃとの間の中間領域Ｂとに区分けし、且つこれら臀部領域Ａ、中間領域Ｂ及び太腿領域Ｃを左右に区分けするものである。即ち、人が着座した際の太腿に位置する領域が太腿領域Ｃ、臀部に位置する領域が臀部領域Ａ、それらの中間の領域が中間領域Ｂとなるよう、堰部３〜６が形成されるとともに、それら領域を左右に区分けすべく堰部７が形成されているのである。
【００１８】
ここで、臀部領域Ａは、他の領域に比べて大きな面積に設定されており、着座した人の臀部を確実に保持し得るよう構成されている。また、中間領域Ｂは、他の領域に比べて小さな面積に設定されており、液体の流動速度を遅らせ、ダンピングの効果を持たせるようにしている。更に、クッション本体１の周縁に位置する領域２ｂ（収容空間２ａの外側の領域）には、軟質部材及び／又は気体が収容されている。
【００１９】
この軟質部材及び／又は気体は、収容空間２ａ内に収容された液体よりも比重が低いものであり、軟質部材とした場合、例えば羽毛、羊毛、真綿、綿などの天然繊維、合成繊維、或いは前記天然繊維と合成繊維との混合物、植物繊維の積層体、又は不織布から成るものである。また、かかる軟質部材に代えて、発泡ゴム又は発泡ウレタンから成るものとしてもよい。
【００２０】
一方、堰部３、５は、臀部領域Ａと中間領域Ｂとを区分けするためのもので、その両端が離間してオリフィス部ａ、ｂ及びｅ、ｆが形成されている。かかるオリフィス部ａ、ｂ及びｅ、ｆは、臀部領域Ａと中間領域Ｂとの間で液体を流入、流出させ得るもので、着座時において臀部領域Ａに荷重が付加された際には当該臀部領域Ａの液体を中間領域Ｂに向かって液体が流動するとともに、中間領域Ｂに荷重が付加された際には当該中間領域Ｂの液体を臀部領域Ａ及び太腿領域Ｃに向かって液体が流動するよう構成されている。
【００２１】
堰部４、６は、太腿領域Ｃと中間領域Ｂとを区分けするためのもので、その両端が離間してオリフィス部ｃ、ｄ及びｇ、ｈが形成されている。かかるオリフィス部ｃ、ｄ及びｇ、ｈは、太腿領域Ｃと中間領域Ｂとの間で液体を流動させ得るもので、着座時において太腿領域Ｃに荷重が付加された際には当該太腿領域Ｃの液体を中間領域Ｂに向かって液体が流動するとともに、中間領域Ｂに荷重が付加された際には当該中間領域Ｂの液体を臀部領域Ａ及び太腿領域Ｃに向かって液体が流動するよう構成されている。
【００２２】
堰部７は、臀部領域Ａ、中間領域Ｂ及び太腿領域Ｃを左右に区分けするためのもので、堰部７の両端が離間してオリフィス部ｉ、ｊが形成されている。オリフィス部ｉは、左右の臀部領域Ａ間で液体を流動させ得るものであり、着座時において臀部領域Ａの右側に荷重が付加された際には左側の臀部領域Ａに向かって液体が流動するとともに、当該臀部領域Ａの左側に荷重が付加された際には右側の臀部領域Ａに向かって液体が流動するよう構成されている。
【００２３】
尚、オリフィス部ｊは、オリフィス部ｂ及びｆと連通して形成されており、クッション本体１の左側に荷重が付加された際、右側の臀部領域Ａ及び中間領域Ｂ、更には太腿領域Ｃに向かって液体が流動するとともに、クッション本体１の右側に荷重が付加された際、左側の臀部領域Ａ及び中間領域Ｂ、更には太腿領域Ｃに向かって液体が流動するよう構成されている。更に、各オリフィス部は、人の着座時及び上半身重心移動時にある時間遅れで液体が追従して流動し得るよう形成されているので、クッション本体１を人の姿勢変化に良好に追従させることができる。
【００２４】
上記実施形態によれば、クッション本体１における収容空間２ａを人の着座位置に応じた大きさの領域で区分けする堰部３〜７と、該堰部３〜７で区分けされた領域間で液体が流動するオリフィス部ａ〜ｊとを具備しているので、着座時の臀部に対する追従性に優れ、且つ、臀部の形状に適合しつつ着座部位に応じた変形を行わせて座圧を分散させることができる。即ち、着座時にクッション本体１に対して荷重が付与されると、堰部３〜７やオリフィス部ａ〜ｊによって内部の液体が収容空間２ａの略全域における所望方向に流動し、安定したクッション性及び座圧の分散を図ることができるのである。
【００２５】
更に、本実施形態によれば、クッション本体１の所定の領域を、液体内蔵領域（収容空間２ａ）と、その他の領域２ｂに分け、その他の領域２ｂに液体よりも比重が低い軟質部材及び／又は空気等の気体を収容させて成るので、液体部では内部の液体が移動して付加された荷重を分散することができ、長時間の着座等を容易に行わせ、且つ、姿勢変更に迅速に追従することができるとともに、軟質部材及び／又は気体部でクッション全体の重量を小さくすることができる。更に、種々の軟質部材を荷重条件に合わせて選択することにより、液体部以外に加わる荷重を好適に分散することができる。
【００２６】
加えて、本実施形態によれば、軟質部材及び／又は気体は、クッション本体１の周縁に位置する領域２ｂ（収容空間２ａの外側）に収容させて成るので、着座した場合の安定感をより向上させることができる。即ち、本実施形態においては、着座時の荷重の分散に加えて安定感を得ることができ、クッションとしての機能性をより向上させることができるのである。これは、他のクッション（椅子の背もたれ部、腰当て、肘当て、敷き布団、敷きマット、マットレス、枕、足置き、履き物の内部又はベッド用敷物に装着されるべきクッション）として応用した場合も同様であり、安定感を得ることができる。
【００２７】
次に、本発明の第２の実施形態について説明する。
本実施形態に係る液体と気体・軟質部材との混在クッションは、寝具用マットに適用されたものであり、図３に示すように、上下２枚の柔軟な合成樹脂シートを熱溶着して内部に液体を収容可能な収容空間９ａを形成して成るクッション本体８と、クッション本体８内に形成され、液体を流動可能に封入し得る収容空間９ａと、該収容空間９ａを所定位置に応じた大きさの領域で区分けする堰部１０〜１９と、該堰部１０〜１９で区分けされた領域間で、液体を流入又は流出させるオリフィス部とを備えたものであって、クッション本体８の所定の領域を、液体内蔵領域（収容空間９ａ）と、その他の領域９ｂに分け、その他の領域９ｂに液体よりも比重が低い軟質部材及び／又は空気等の気体を収容させて成るものとされている。
【００２８】
収容空間９ａに収容される液体、及びその他の領域９ｂに収容される「液体（収容空間９ａに収容された液体）よりも比重が低い軟質部材及び／又は空気」については、上記第１の実施形態と同様である。尚、クッション本体８においては、縁部の溶着部８ａにて密封されており、収容空間８ａ内で液体を流動可能に保持し、長期間封止され得るようになっている。本実施形態においても、第１の実施形態と同様、クッション本体８には、収容空間９ａに通じる注入口８ｂが形成されており、当該注入口８ｂから液体を注入した後、溶着されて封止されるようになっている。
【００２９】
本実施形態によれば、第１の実施形態と同様、クッション本体８の所定の領域を、液体内蔵領域（収容空間９ａ）と、その他の領域９ｂに分け、その他の領域９ｂに液体よりも比重が低い軟質部材及び／又は空気等の気体を収容させて成るので、液体部では内部の液体が移動して付加された荷重を分散することができ、長時間の横臥等を容易に行わせることができ、且つ、姿勢変更に迅速に追従することができるとともに、軟質部材及び／又は気体部ではクッション全体の重量を小さくすることができる。更に、種々の軟質部材を荷重条件に合わせて選択することにより、液体部以外に加わる荷重を好適に分散することができる。
【００３０】
加えて、本実施形態によれば、軟質部材及び／又は気体は、クッション本体８の周縁に位置する領域９ｂ（収容空間９ａの外側）に収容させて成るので、横臥した場合の安定感をより向上させることができる。即ち、本実施形態においては、横臥時の荷重の分散に加えて安定感を得ることができ、クッションとしての機能性をより向上させることができるのである。
【００３１】
次に、本発明の第３の実施形態について説明する。
本実施形態に係る液体と気体・軟質部材との混在クッションは、寝具用マットに適用されたものであり、図４に示すように、上下２枚の柔軟な合成樹脂シートを熱溶着して内部に液体を収容可能な収容空間（２１ａ、２１ｂ）を形成して成るクッション本体２０と、クッション本体２０内に形成され、液体を流動可能に封入し得る収容空間（２１ａ、２１ｂ）と、該収容空間（２１ａ、２１ｂ）を所定位置に応じた大きさの領域で区分けする堰部２２〜３１と、該堰部２２〜３１で区分けされた領域間で、液体を流入又は流出させるオリフィス部とを備えたものであって、クッション本体２０の所定の領域を、液体内蔵領域（収容空間２１ａ、２１ｂ）と、その他の領域２１ｃに分け、その他の領域２１ｃに液体よりも比重が低い軟質部材及び／又は空気等の気体を収容させて成るものとされている。
【００３２】
収容空間（２１ａ、２１ｂ）は、隣接する一対の密封空間から成る点で第２の実施形態と相違するものの、当該収容空間（２１ａ、２１ｂ）に収容される液体、及びその他の領域２１ｃに収容される「液体（収容空間２１ａ、２１ｂに収容された液体）よりも比重が低い軟質部材及び／又は気体」については、上記第１、２の実施形態と同様である。尚、クッション本体２０においては、縁部の溶着部２０ａにて密封されており、収容空間２１ａ、２１ｂ内でそれぞれ液体を流動可能に保持し、長期間封止され得るようになっている。本実施形態においても、第１、２の実施形態と同様、クッション本体２０には、収容空間（２１ａ、２１ｂ）に通じる注入口２０ｂ、２０ｃがそれぞれ形成されており、当該注入口２０ｂ、２０ｃから液体を注入した後、溶着されて封止されるようになっている。
【００３３】
本実施形態によれば、第１、２の実施形態と同様、クッション本体２０の所定の領域を、液体内蔵領域（収容空間２１ａ、２１ｂ）と、その他の領域２１ｃに分け、その他の領域２１ｃに液体よりも比重が低い軟質部材及び／又は空気等の気体を収容させて成るので、液体部では内部の液体が移動して付加された荷重を分散することができ、長時間の横臥等を容易に行わせ、且つ、姿勢変更に迅速に追従することができるとともに、軟質部材及び／又は気体部ではクッション全体の重量を小さくすることができる。更に、種々の軟質部材を荷重条件に合わせて選択することにより、液体部以外に加わる荷重を好適に分散することができる。
【００３４】
加えて、本実施形態によれば、軟質部材及び／又は気体は、クッション本体２０の周縁に位置する領域２１ｃ（収容空間２１ａ、２１ｂの外側）に収容させて成るので、横臥した場合の安定感をより向上させることができる。即ち、本実施形態においては、横臥時の荷重の分散に加えて安定感を得ることができ、クッションとしての機能性をより向上させることができるのである。
【００３５】
次に、本発明の第４の実施形態について説明する。
本実施形態に係る液体と気体・軟質部材との混在クッションは、寝具用マットに適用されたものであり、図５に示すように、クッション本体３２の上部及び／又は下部を可撓性部材３４で覆い、クッション本体３２と可撓性部材３４の間をある領域（３３ｅ〜３３ｈ）で区分けし、その領域（３３ｅ〜３３ｈ）内に第１〜第３の実施形態で示した如き軟質部材及び／又は気体（封入させた液体よりも比重が低い軟質部材及び／又は気体）を封入させて成るものである。また、本実施形態においては、領域３３ａ、３３ｂが液体を収容した収容空間を成すとともに、当該領域３３ａ、３３ｂに、第１〜第３の実施形態で示した如き堰部と、オリフィス部とが形成されている。尚、図５中符号３２ａは、クッション本体３２や可撓性部材３４の溶着部を示している。
【００３６】
本実施形態によれば、第１〜３の実施形態と同様、クッション本体３２の所定の領域を、液体内蔵領域３３ａ、３３ｂと、その他の領域３３ｃ、３３ｄ、及び３３ｅ〜３３ｈに分け、その他の領域に液体よりも比重が低い軟質部材及び／又は空気等の気体を収容させて成るので、液体部では内部の液体が移動して付加された荷重を分散することができ、長時間の横臥等を容易に行わせ、且つ、姿勢変更に迅速に追従することができるとともに、軟質部材及び／又は気体部ではクッション全体の重量を小さくすることができる。更に、種々の軟質部材を荷重条件に合わせて選択することにより、液体部以外に加わる荷重を好適に分散することができる。
【００３７】
加えて、本実施形態によれば、軟質部材及び／又は気体は、クッション本体３２の周縁に位置する領域３３ｃ、３３ｄに収容させて成るので、横臥した場合の安定感をより向上させることができる。即ち、本実施形態においては、横臥時の荷重の分散に加えて安定感を得ることができ、クッションとしての機能性をより向上させることができるのである。更に、クッション本体３２の上部及び／又は下部を可撓性部材３４で覆い、クッション本体３２と可撓性部材３４の間をある領域（３３ｅ〜３３ｈ）で区分けし、その領域（３３ｅ〜３３ｈ）内に第１〜第３の実施形態で示した如き軟質部材及び／又は気体（封入させた液体よりも比重が低い軟質部材及び／又は気体）を封入させて成るので、上下の所定領域に軟質部材及び／又は気体を収容させることができるとともに、体圧分散特性を変化させることができ、且つ、水洗い等を容易に行うことができる。
【００３８】
次に、本発明の第５の実施形態について説明する。
本実施形態に係る液体と気体・軟質部材との混在クッションは、足置きに適用されたものであり、図６、７に示すように、クッション本体３５と、液体を内蔵した液体内蔵領域３６と、第１〜第３の実施形態で示した如き軟質部材及び／又は気体（封入させた液体よりも比重が低い軟質部材及び／又は気体）を封入させたその他の領域３７が形成されて成るものである。本実施形態においては、領域３６が液体を収容した収容空間を成すとともに、当該領域３６に、第１〜第３の実施形態で示した如き堰部と、オリフィス部とが形成されている。
【００３９】
本実施形態によれば、先の実施形態と同様、クッション本体３５の所定の領域を、液体内蔵領域３６と、その他の領域３７に分け、その他の領域３７に液体よりも比重が低い軟質部材及び／又は空気等の気体を収容させて成るので、液体部では内部の液体が移動して付加された荷重を分散することができ、長時間の足置き等を容易に行わせ、且つ、姿勢変更に迅速に追従することができるとともに、軟質部材及び／又は気体部ではクッション全体の重量を小さくすることができる。更に、種々の軟質部材を荷重条件に合わせて選択することにより、液体部以外に加わる荷重を好適に分散することができる。
【００４０】
加えて、本実施形態によれば、軟質部材及び／又は気体は、クッション本体３５の周縁に位置する領域３７に収容させて成るので、足を置いた場合の安定感をより向上させることができる。即ち、本実施形態においては、足置き時の荷重の分散に加えて安定感を得ることができ、クッションとしての機能性をより向上させることができるのである。更に、本実施形態においては、図７中Ｂ方向に堰が多くなるよう形成されているため、Ａ部（踵部が置かれる部位）からＢ方向への液体の流れを抑制すると共に、ふくらはぎ部でも足の荷重を受け持ち、踵部の圧力を減少させるようにしている。
【００４１】
次に、本発明に係る液体と気体・軟質部材との混在クッションの効果を実証するための実験結果について説明する。
第３の実施形態の如き寝具用マットにおいて、液体としての水を６０％、軟質部材を４０％収容させたものを実施例１、液体としての水を７０％、軟質部材を３０％収容させたものを実施例２、汎用のウレタンマットを比較例１、液体としての水を１００％収容させたもの（軟質部材なし）を比較例２とし、これらをそれぞれギャッヂアップ機能（角度調整機能）付きベッドに敷き、ギャッヂアップ角度（傾斜角度）を変化させた場合の体圧を測定した。
【００４２】
その実験結果を図８に示す。図８において、横軸はギャッヂアップ角度、縦軸は最大体圧を示している。尚、被験者は、年配の被験者（６７歳、身長  １６６（ｃｍ）、体重  ７２（ｋｇ）、ＢＭＩ  ２６．１）である。かかる実験結果から、液体としての水の量が１／２程度でも体圧分散効果が十分保たれることが分かった。
【産業上の利用可能性】
【００４３】
クッション本体の所定の領域を、液体内蔵領域と、その他の領域に分け、その他の領域に液体よりも比重が低い軟質部材及び／又は空気等の気体を収容させて成る液体と気体・軟質部材との混在クッションであれば、外観形状が異なるもの或いは他の機能が付与されたもの等にも適用できる。
【符号の説明】
【００４４】
１    クッション本体
２ａ    収容空間
２ｂ    その他の領域
３〜７    堰部
８    クッション本体
９ａ    収容空間
９ｂ    その他の領域
１０〜１９  堰部
２０    クッション本体
２０ａ、２０ｂ    収容空間
２０ｃ    その他の領域
２２〜３１  堰部
３２    クッション本体
３３ａ、３３ｂ    液体内蔵領域
３３ｃ、３３ｄ、及び３３ｅ〜３３ｈ    その他の領域
３４    可撓性部材
３５    クッション本体
３６    液体内蔵領域
３７    その他の領域
ａ〜ｊ    オリフィス部
【図１】
2011152191.tif 000003
【図２】
2011152191.tif 000004
【図３】
2011152191.tif 000005
【図４】
2011152191.tif 000006
【図５】
2011152191.tif 000007
【図６】
2011152191.tif 000008
【図７】
2011152191.tif 000009
【図８】
2011152191.tif 000010